(57)【要約】      （修正有）【課題】プラズマトーチと試料導入装置のメンテナンスが容易な発光分析装置を提供する。【解決手段】開閉支点６１を中心に回転する挟持部材６２、６３とこれらの挟持側の一端を閉じ、反対側を開く付勢力を付加するコイルばね６４を備えたボールジョイントクリップ６において、チャンバ４を挟み込む切欠部位６３ａを形成した挟持部材６３の切欠部位６３ａの両先端側からチャンバ４の排出口４ａを包囲して一体的に係着するための突出部位６３ｃ、６３ｄを設ける。この挟持部材６３をチャンバ４に挟み込んだ状態で前記突出部位６３ｃ、６３ｄを内側に折り曲げチャンバ４に係着する。これにより、チャンバ４とプラズマトーチの石英管５ａの連結、取外し操作の際のチャンバ４からのボールジョイントクリップ６の落下が防止される。【選択図】図３
0003142225.tif 000002
【実用新案登録請求の範囲】
【請求項１】
試料をプラズマ化するためのプラズマトーチと試料をプラズマトーチに導出する試料チャンバとを備え、プラズマ発光を検出して試料の分析を行なう発光分析装置において、プラズマトーチ側の試料導入管端とチャンバ側の試料導出管端を着脱可能に結合するボールジョイントクリップを備え、このボールジョイントクリップを構成する少なくとも片方側の挟持部材の先端には、曲折して前記試料導出管端に係止させる部材を伸設させたことを特徴とする発光分析装置。
【考案の詳細な説明】
【技術分野】
【０００１】
本考案は、誘導結合プラズマ分光分析装置や誘導プラズマ質量分析装置などのプラズマトーチを使用してプラズマの高温によって試料を原子化しさらにはイオン化し発光させて試料分析を行なう発光分析装置に関する。
【背景技術】
【０００２】
誘導結合プラズマ分光分析装置や誘導結合プラズマ質量分析装置は、試料をプラズマ励起して発光させその光を検出して試料中の金属元素の定量・定性分析を行なう装置で図５に示すとおりプラズマトーチ１０１にネブライザ１０６を介して試料およびキャリアガス（通常アルゴンガス使用）を導入する試料導入装置１００のチャンバ１０２が接続されている。このチャンバ１０２には、試料をプラズマトーチ１０１の最内管１０３に導入するための排出管１０４が設けられ、最内管１０３の端部と排出管１０４の端部とは図６に示すボールジョイントクリップ１０５にて流体がシールされた状態で接続される。
【０００３】
プラズマトーチ１０１の交換およびメンテナンスの際には通常チャンバ１０２を片手で持ちボールジョイントクリップ１０５をもう一方の手で外す操作を行ない、プラズマトーチ１０１を試料導入装置１００から取り外す。この作業は、分析装置全体が図７に示すとおりガラス窓１０７とグローブ１０８が取り付けられ気密性のグローブボックス１０９に内設されている場合は前記のボールジョイントクリップ１０５を外す操作をグローブ１０８を介して行なう。また、マニュピレーターロボット（図示省略）を用いて前記操作を行なう場合もある。
【特許文献１】特開平９−１９９０７６号公報
【考案の開示】
【考案が解決しようとする課題】
【０００４】
従来のプラズマトーチを用いた分析装置は上記のとおり構成されているが、分析装置全体がグローブボックス１０９内に収容されている場合、チャンバ１０２を片手で持ち、ボールジョイントクリップ１０５をもう一方の手で取り外す際に、その操作を行なうのが困難であり、ボールジョイントクリップ１０５またはチャンバ１０２をグローブボックス１０９の底に落下させ破損させる恐れがある。また、マニュピレーターロボットを用いて前記操作を行なう際にも、それが間接操作で行われるため、ボールジョイントクリップ１０５またはチャンバ１０２をグローブボックス１０９の底に落下させ破損させる恐れがある。
【課題を解決するための手段】
【０００５】
本考案の発光分析装置は、上記の問題点を解決するため、試料をプラズマ化するためのプラズマトーチと試料をプラズマトーチに導出する試料チャンバとを備え、プラズマ発光を検出して試料の分析を行なう発光分析装置において、プラズマトーチ側の試料導入管端とチャンバ側の試料導出管端を着脱可能に結合するボールジョイントクリップを備え、このボールジョイントクリップを構成する少なくとも片方側の挟持部材の先端には、曲折して前記試料導出管端に係止させる部材を伸設させたものである。
【考案の効果】
【０００６】
本考案は、ボールジョイントクリップの突出部位を設けることによりチャンバからボールジョイントクリップが外れず一体化する。プラズマトーチの交換およびメンテナンスの際、チャンバを片手で持ち他方の手でボールジョイントクリップを取り外した後、プラズマトーチを試料導入装置から取り外すことができる。したがって一方の手でボールジョイントクリップ一体型のチャンバを持ち、他方の手でプラズマトーチを持ちプラズマトーチを試料導入装置側から外すことができ、さらに操作性が向上し、ボールジョイントクリップとチャンバの落下を防止できる。
【考案を実施するための最良の形態】
【０００７】
本考案による発光分析装置の実施例は図１に示される。図１は本考案によるＩＣＰ（誘導結合プラズマ）分析装置の概略構成図である。ＩＣＰ分析装置１は、溶液の試料２が、キャリアガス（アルゴンガス）Ａ３と共にネブライザ３に導入され、チャンバ４内に噴霧される。このチャンバ４は上方のプラズマトーチ５とボールジョイントクリップ６で結合されている。なお、４ａは排出口、５ａは石英管である。
【０００８】
図２は本考案の特徴であるボールジョイントクリップ６を詳細に示す側面図（Ａ）と上面図（Ｂ）である。ボールジョイントクリップ６は、開閉支点６１を中心に揺動する挟持部材６２、６３および挟持側と反対側を開成付勢するコイルばね６４から構成されている。前記挟持部材６２には前記プラズマトーチ５の石英管５ａを挟み込む切欠部位６２ａと指押部位６２ｂが形成され、挟持部材６３には前記チャンバ４を挟み込んで係着させる切欠部位６３ａと切欠部位６３ａの両先端側からチャンバ４の排出口４ａを包囲し一体的に係着するための突出部位６３ｃ、６３ｄが形成されている。なお、６３ｂは指押部位である。
【０００９】
図３は、ボールジョイントクリップ６が前記チャンバ４に係着され切欠部位６２ａ、６３ａ間を開いている状態を示す。ボールジョイントクリップ６は、チャンバ４の排出口４ａの部位を切欠部位６３ａにて挟み突出部位６３ｃ、６３ｄを内側に折り曲げることでチャンバ４から外れることなく係着する。
【００１０】
プラズマトーチ５とチャンバ４の結合は、片手にチャンバ４を持ち、他方の手でプラズマトーチ５を把持しその先端面をチャンバ４の排出口４ａ内面に接合させた状態からプラズマトーチ５を解放する。そしてボールジョイントクリップ６の指押部位６２ｂ、６３ｂ間を閉じ切欠部位６２ａ、６３ａ間を開いて挟持部材６２の切欠部位６２ａをプラズマトーチ５の石英管５ａの先端直上部の細管部位に挟み込み指押部位６２ｂ、６３ｂ側を開き、切欠部位６２ａ、６３ａ側を閉じる。
【００１１】
プラズマトーチ５の交換およびメンテナンスの際は、ボールジョイントクリップ一体形のチャンバ４を片方の手で持ち、他方の手でボールジョイントクリップ６の指押部位６２ｂ、６３ｂを閉じてチャンバ４とプラズマトーチ５との接続を切り離す。この時、ボールジョイントクリップ６はチャンバ４と一体で床に落下しない。
【００１２】
図４は、他の実施例によるボールジョイントクリップ６Ａの側面図（Ａ）と上面図（Ｂ）である。このボールジョイントクリップ６Ａは、開閉支点６１を中心に回転する前記挟持部材６２と挟持部材６５およびこれらの挟持側を閉じ、反対側を開く付勢力を付加するコイルばね６４から構成されている。前記挟持部材６５には前記チャンバ４の排出口４ａの直下部を挟み込む切欠部位６５ａと指押部位６５ｂが形成され、前記切欠部位６５ａの両端側方には内側方向に曲がったＬ字型の板ばね６６Ａ、６６Ｂが溶接等により固着されている。このボールジョイントクリップ６Ａの板ばね６６Ａ、６６Ｂを治具（図示省略）を用いて図の２点鎖線で示す方向に開きながらチャンバ４に係着する。
なお、前記ボールジョイントクリップ６、６Ａにおいて、上下方向にコイルばね６４を配設しているが、開閉支点６１の軸棒に巻着して挟み側の一端を閉じ、反対側を開く付勢力を付加することもできる。またばねを板ばねとすることもでき、さらには両挟持部材をばねを介して一体的にすることもできる。なお、図１から図７において同一の符号で示される部品は、それぞれの図面において説明した部品と同一で同一の機能を有するものであり、詳細な説明は省略している。
【産業上の利用可能性】
【００１３】
誘導結合プラズマ分光分析装置および誘導プラズマ質量分析装置のようなプラズマトーチを使用してプラズマの高温によって試料を発光化させさらにはイオン化して分析を行なう発光分析装置に用いられる。
【図面の簡単な説明】
【００１４】
【図１】実施例によるＩＣＰ分析装置の構成図である。
【図２】実施例に係るボールジョイントクリップの側面図（Ａ）と上面図（Ｂ）である。
【図３】実施例に係るボールジョイントクリップをチャンバに装着した状態を示す斜視図である。
【図４】他の実施例に係るボールジョイントクリップの側面図（Ａ）と上面図（Ｂ）である。
【図５】従来のプラズマトーチと試料導入部の接続図である。
【図６】従来のボールジョイントクリップをチャンバに装着した状態を示す斜視図である。
【図７】グローブボックスの概略斜視図である。
【符号の説明】
【００１５】
１  ＩＣＰ分析装置
２  試料
３  ネブライザ
４  チャンバ
４ａ  排出口
５  プラズマトーチ
５ａ  石英管
６  ボールジョイントクリップ
６Ａ  ボールジョイントクリップ
６１  開閉支点
６２  挟持部材
６２ａ  切欠部位
６２ｂ  指押部位
６３  挟持部材
６３ａ  切欠部位
６３ｂ  指押部位
６３ｃ  突出部位
６３ｄ  突出部位
６４  コイルばね
６５  挟持部材
６５ａ  切欠部位
６５ｂ  指押部位
６６Ａ  板ばね
６６Ｂ  板ばね
１００  試料導入装置
１０１  プラズマトーチ
１０２  チャンバ
１０３  最内管
１０４  排出管
１０５  ボールジョイントクリップ
１０６  ネブライザ
１０７  ガラス窓
１０８  グローブ
１０９  グローブボックス
Ａ３  キャリアガス
【図１】
0003142225.tif 000003
【図２】
0003142225.tif 000004
【図３】
0003142225.tif 000005
【図４】
0003142225.tif 000006
【図５】
0003142225.tif 000007
【図６】
0003142225.tif 000008
【図７】
0003142225.tif 000009